(57)【特許請求の範囲】
【請求項１】
外筒の内周に沿って回転するスパイラル羽根を有するスクリュウによる濾過ないし移送に用いられる、前記スパイラル羽根のスクレーパであって、
前記スパイラル羽根の外周を、前記外筒の内周と非接触とし、前記スパイラル羽根の外周端面全域に凹溝を設け、かつ前記凹溝の底面を後部から前部に向うに従い、漸次上昇する一定角度の固定の傾斜面とし、前記傾斜面上に反対傾斜面を有する全域に亘る一本のスクレーパ片を、前記外筒の内周と摺接させて、前記固定の傾斜面に沿って自動的に移動させる自動杠上機構を設けて成ることを特徴とするスクレーパ。
【請求項２】
前記自動杠上機構は、前記スパイラル羽根の凹溝の底面に固定の傾斜面を形成し、この傾斜面と、この傾斜面上を移動するスクレーパ片の反対傾斜面上で構成させて成ることを特徴とする請求項１記載のスクレーパ。
【請求項３】
前記自動杠上機構は、前記スパイラル羽根の凹溝の底面は同一の高さとし、前記底面上に一定の角度の固定の傾斜面を有する当板を載置固定し、前記固定の傾斜面上を移動するスクレーパ片の反対傾斜面とで構成させて成ることを特徴とする請求項１記載のスクレーパ。
【請求項４】
請求項１ないし３いずれか１項に記載のスクレーパを備えたことを特徴とする流体の濾過ないし移送装置。
【発明の詳細な説明】
【技術分野】
【０００１】
本発明は、各種流体の移送および主として食品などのジュース抽出用流体を濾過するための回転羽根に用いるスクレーパおよびスクレーパ構造流体の濾過ないし移送装置に関する。
【背景技術】
【０００２】
一般にスクレーパは、各種移送機器のスクリュウのスパイラル羽根に付設して、種々流体を移送する際に回転作用により外筒の内周に摺接させて流体の漏れを無くして作動させなければならない。
【０００３】
スパイラル羽根の外周端面に、長尺な線状のスクレーパ片を捲装したものが知られているが（例えば、特許文献１参照）、使用により磨耗すると外筒との間に隙間が生じて圧力の漏れが生じ、気密性を失い、移送不能の状態になることが生ずる。
【０００４】
これに対し、スクレーパ片を分割してバネ部材を用いることなく、自動杠上手段を用いて移動可能の構成とすることにより、磨耗しても常時気密性を保持して移送を失うという不都合を回避できるスクレーパも知られている（例えば、特許文献２参照）。
【先行技術文献】
【特許文献】
【０００５】
【特許文献１】特許第２５５１４８０号公報
【特許文献２】特開２００７−２９６４４１号公報
【発明の概要】
【発明が解決しようとする課題】
【０００６】
ところが、スクレーパ片が分割構造であるため、スパイラル羽根への取付け，取外しに際する作業に手間が掛かるという問題がある。
【０００７】
本発明は、叙上の点に着目して成されたもので、スクレーパ片の挿入取付け溝全域に亘って、傾斜面（テーパー面）を形成するか、または一定深さの溝に傾斜面（テーパー面）を有する当板を載置し、前記傾斜面上に反対傾斜面を有する長尺な全域に亘るスクレーパ片を前記傾斜面を摺動可能の自動杠上機構を形成して磨耗の都度、スクレーパ片を傾斜面に沿って自動的に移動させることにより、圧力洩れのない摺動作用を行えることができるようにしたスクレーパおよびスクレーパを備えた流体の濾過ないし移送装置を提供することを目的とする。
【課題を解決するための手段】
【０００８】
この発明は下記の構成を備えることにより上記課題を解決できるものである。
【０００９】
（１）外筒の内周に沿って回転するスパイラル羽根を有するスクリュウによる濾過ないし移送に用いられる、前記スパイラル羽根のスクレーパであって、
前記スパイラル羽根の外周を、前記外筒の内周と非接触とし、前記スパイラル羽根の外周端面全域に凹溝を設け、かつ前記凹溝の底面を後部から前部に向うに従い、漸次上昇する一定角度の固定の傾斜面とし、前記傾斜面上に反対傾斜面を有する全域に亘る一本のスクレーパ片を、前記外筒の内周と摺接させて、前記固定の傾斜面に沿って自動的に移動させる自動杠上機構を設けて成ることを特徴とするスクレーパ。
（２）前記自動杠上機構は、前記スパイラル羽根の凹溝の底面に固定の傾斜面を形成し、この傾斜面と、この傾斜面上を移動するスクレーパ片の反対傾斜面上で構成させて成ることを特徴とする前記（１）記載のスクレーパ。
（３）前記自動杠上機構は、前記スパイラル羽根の凹溝の底面は同一の高さとし、前記底面上に一定の角度の固定の傾斜面を有する当板を載置固定し、前記固定の傾斜面上を移動するスクレーパ片の反対傾斜面とで構成させて成ることを特徴とする前記（１）記載のスクレーパ。
（４）前記（１）ないし（３）いずれか１項に記載のスクレーパを備えたことを特徴とする流体の濾過ないし移送装置。
【発明の効果】
【００１３】
本発明は、スクリュウの回転作用で働く、スパイラル羽根により被移送流体は、外筒内を有効に移送ないしは濾過され乍ら移送できると共に、外筒の内周と摺接するスクレーパ片は、使用頻度に応じて磨耗するが、磨耗によりスクレーパ片の高さが減じても傾斜面を備えた自動杠上機構により、スクレーパ片は滑り乍ら上昇し、常にスクレーパ片の摺接面は上昇するので、外筒の内周との間に漏れを生ずる虞れがない。
【００１４】
そして、スクレーパ片は、凹溝に対して一本であるので、取付，交換などの作業性を単時間に行わせて効率的である。
【００１５】
しかも、自動杠上機構は、専ら傾斜面だけで構成されているので、凹溝の底部自体に形成するが、傾斜面を有する当板を載置固定すれば形成できるなど、きわめて簡単である。
【図面の簡単な説明】
【００１６】
【図１】本発明の一実施例を示すスクレーパの使用状態の一部を拡大して示す断面図
【図２】図１のスクレーパを平面的に拡開した状態の３分割した断面説明図
【図３】他例を示すスクレーパの使用状態の一部を拡大して示す断面図
【図４】図３のスクレーパを平面的に拡開した状態の３分割した断面説明図
【図５】（ａ）は図1のＶａ−Ｖａ線拡大断面図、（ｂ）は図３のＶｂ−Ｖｂ線拡大断面図
【図６】本発明のスクレーパを濾過装置に用いた場合の断面説明図
【発明を実施するための形態】
【００１７】
以下、本発明の一実施例を図面と共に説明する。
【実施例】
【００１８】
この一実施例は、所謂、スクリュウを用いた場合を示すもので、例えば図６に示すような濾過ないし移送のための外筒１に対し、所望の駆動手段Ｍで一定方向に回転して各種流体を、供給口ＩＮより吐出口ＯＵＴへ移送するためのスクリュウ２を外筒１内に配設した構成を示しており、外筒１は図示のように濾過孔を設ければ濾過装置として用いられ、単に無孔の外筒であれば可塑物などの移送装置として用いられる。
【００１９】
なお、図示では、横方向であるが、縦方向でも差し支えない。
【００２０】
さらに、外筒１は円筒体構造であるが、截円錐体構造など好みの構造のものと用いることができる。
【００２１】
前記スクリュウ２は、その外周にスパイラル羽根３を、必要な不等ないし等ピッチで、しかも好みの捲数で螺旋状に突設されており、外筒１の内周と微少間隙を保持させると共に、外周に設けた凹溝４内にスクレーパ片Ａが係合され、このスクレーパ片Ａの外周面ａが前記外筒１の内周面と常時摺動できるようになっている。
【００２２】
５は、前記凹溝４の底部に形成される一定角度θの傾斜面で、スパイラル羽根３の後部から上部に向うに従い、漸次と上昇する一定角度の固定の傾斜面として形成してある。
【００２３】
６は、前記傾斜面５上を移動して上昇するスクレーパ片Ａの反対傾斜面で、前記傾斜面５との間で自動杠上機構Ｘを備える。
【００２４】
すなわち、スクリュウ２の回転作用により外筒１内の被移送流体を移送させる際、スパイラル羽根３に設けたスクレーパ片Ａの外周面ａの外筒１の内周面との摺動により磨耗する時は、スパイラル片Ａは、この自動杠上機構Ｘの反対傾斜面６が凹溝４の底部に形成される傾斜面５上を摺動上昇し、磨耗で損傷した外周部分を補償し、常時、スパイラル羽根３のスクレーパ片Ａの外周面ａは外筒１の内周面と摺接して圧力の漏れを生ずることなく、被移送流体を円滑に移送させて、濾過ないしは移送作用を行わせることができる。
【００２５】
ここで、スクレーパ片Ａは、比較的強度の強い合成樹脂材料としてポリアミド樹脂、テフロン（登録商標）等が好ましいが、格別限定すべきものではない。
【００２６】
ここで、自動杠上機構Ｘについて、具体的構成の２例を図面と共に説明する。
【００２７】
図１，図２および図５（ａ）は、スパイラル羽根３に穿った凹溝４の全域に亘って、前部から後部に亘って、底部自体を平面的に展開した状態で、微少な一定角度θが１°〜５°以内の固定の傾斜面５を底面構成として形成するものであり、この傾斜面５に対して反対傾斜面６を備えたスクレーパ片Ａを移動上昇自在に組み合わせたものである。
【００２８】
また、図３，図４および図５（ｂ）は、他の構成を示すもので、凹溝４の底面構成は同一深さｈで一定の深度を備えているのに対し、この凹溝４内に上下二部分に分割し、下部に微少な一定角度θが１°〜５°以内の固定の傾斜面５を有する長尺な当板Ａ１とこの当板Ａ１の傾斜面５上を上方に移動する反対傾斜面６を有するスクレーパ片Ａを嵌合し、当板Ａ１を底板上に載置固定するものである。
【００２９】
本発明によれば、相対向する固定の傾斜面と反対傾斜面とによる自動杠上機構Ｘの働きにより、スクリュウ２の回転移送中、外筒１の内周面と摺擦するスクレーパ片Ａは磨耗されても、常時、スクレーパ片Ａは図示のように矢符方向に移動し、自動杠上されて圧力の洩れを生ずることがなく、濾過ないし移送を円滑に行わせることができる。
【符号の説明】
【００３０】
１    外筒
２    スクリュウ
３    スパイラル羽根
４    凹溝
５    傾斜面
６    反対傾斜面
Ａ    スクレーパ片
Ａ１  当板
ａ    外周面
Ｍ    駆動手段
Ｘ    自動杠上機構
ｈ    深さ
【図１】
0005405367.tif 000002
【図２】
0005405367.tif 000003
【図３】
0005405367.tif 000004
【図４】
0005405367.tif 000005
【図５】
0005405367.tif 000006
【図６】
0005405367.tif 000007